(57)【要約】【課題】  本発明は、炉本体の上方を開閉する上扉を備えた焼成炉に対して、炉内のガス抜きや炉内への空気の流入を容易にできる陶芸用窯を提供することを目的とする。【解決手段】  上方が開口する炉本体２と、一端が炉本体２上部に回動自在に連結し、一端を支点として上下に揺動し開口部の開放と遮蔽を行う上扉５と、を備え、一端６ｂが上扉５の側壁に回動自在に連結し他端６ｃが炉本体２の側壁２ｂに向かって延出するステー６と、炉本体２の側壁２ｂに突出しステー６の縁端６ｊが当接して軸方向にスライドする突出ピン７と、を備え、ステー６の他端側には、開口部３の開放位置において突出ピン７が係合する第一切欠部６ｆを備え、ステー６の一端側には、開口部３と上扉５との間に所定の間隙Ｓを有する間隙位置において突出ピン７が係合する第二切欠部６ｇを備える。【選択図】  図２
2006145051.tif 000002
【特許請求の範囲】
【請求項１】
陶芸作品を収納して焼成するための、上方が開口する炉本体と、炉本体の上方に配設され、一端が該炉本体上部に回動自在に連結し、該一端を支点として上下に揺動し前記開口部の開放と遮蔽を行う上扉と、
を備えた陶芸用窯であって、
一端が前記上扉の側壁に回動自在に連結し他端が前記炉本体の側壁に向かって延出するステーと、
前記炉本体の側壁に突出して設けられ、前記ステーの縁端が当接して、前記延出方向に該縁端がスライドする突出ピンと、
を備え、
前記ステーの他端側の縁端には、前記開口部の開放位置において前記突出ピンが係合する第一切欠部を備えると共に、該ステーの一端側の縁端には、前記開口部の上端と前記上扉との間に所定の間隙を有する間隙位置において前記突出ピンが係合する第二切欠部を備え、
前記開放位置及び間隙位置において、前記上扉が前記ステーを介して前記炉本体に支持されるように構成されている、
ことを特徴とする陶芸用窯。
【発明の詳細な説明】
【技術分野】
【０００１】
本発明は、陶芸作品を焼成する陶芸用窯に関する。
【背景技術】
【０００２】
陶芸窯は、炉内に収納した陶芸作品を焼成する際、炉本体内の雰囲気を調整することにより、品質を向上させ種々の色合いの陶芸作品を得ることができる。例えば、炉内の湿気を除去したり、炉内に炭を入れて一酸化炭素を発生させ還元を促進したり、空気を入れて酸化を促進させたりすることにより、陶芸作品の所望の物性や色合いを得ることができる。
【０００３】
そこで、陶芸窯には、炉内のガス及び湿気の除去や炉内への空気の流入のために、炉の周壁に貫通孔を複数備えると共に、この貫通孔を開閉する開閉機構を備えているものがある（例えば、特許文献１、２参照）。
【特許文献１】特開平１０−１８５４４４号公報
【特許文献２】特開平９−５９６４２号公報
【発明の開示】
【発明が解決しようとする課題】
【０００４】
しかしながら、上述の陶芸窯のように貫通孔及びその開閉機構を備える構成によれば、貫通孔を介して、炉内のガス及び湿気の除去や炉内への空気の流入等を行う毎に、貫通孔を開閉する作業が必要になるので、この作業が煩雑であった。
【０００５】
そこで、本発明は、炉本体の上方を開閉する上扉を備えた陶芸窯において、炉内のガス及び湿気の除去や炉内への空気の流入等を容易にすることを目的とする。
【課題を解決するための手段】
【０００６】
かかる目的を達成するためになされた請求項１に記載の発明は、陶芸作品を収納して焼成するための、上方が開口する炉本体と、炉本体の上方に配設され、一端が炉本体上部に回動自在に連結し、該一端を支点として上下に揺動し前記開口部の開放と遮蔽を行う上扉と、を備えた陶芸用窯であって、一端が上扉の側壁に回動自在に連結し他端が前記炉本体の側壁に向かって延出するステーと、前記炉本体の側壁に突出して設けられ、前記ステーの縁端が当接して、前記延出方向に該縁端がスライドする突出ピンと、を備え、前記ステーの他端側の縁端には、前記開口部の開放位置において前記突出ピンが係合する第一切欠部を備えると共に、該ステーの一端側の縁端には、前記開口部の上端と前記上扉との間に所定の間隙を有する間隙位置において前記突出ピンが係合する第二切欠部を備え、前記開放位置及び間隙位置において、前記上扉が前記ステーを介して前記炉本体に支持されるように構成されている、ことを特徴とする。
【０００７】
請求項１に記載の陶芸用窯によれば、一端が上扉の側壁に回動自在に連結し他端が前記炉本体の側壁に向かって延出するステーと、炉本体の側壁に突出して設けられ、ステーの縁端が当接して、延出方向に縁端がスライドする突出ピンと、を備え、ステーの他端側の縁端には、炉本体の開口部の開放位置において突出ピンが係合する第一切欠部を備えると共に、ステーの一端側の縁端には、開口部の上端と上扉との間に所定の間隙を有する間隙位置において突出ピンが係合する第二切欠部を備えているので、オペレータが、上扉を上下に揺動させて所定の間隙位置で上扉を係止させ、炉内の湿気及びガス抜きや炉内への空気の流入等が可能となり、且つその作業を容易にできる。
【０００８】
また、請求項１に記載の陶芸用窯によれば、上扉の開閉機構に、開口部の上端と上扉との間に所定の間隙を構成する上扉の支持機構を備えたので、炉内の湿気及びガス抜きや炉内への空気の流入のための、炉壁の貫通孔及びその開閉機構を別途設ける必要が無く、構造を簡素化できる。
【発明の効果】
【０００９】
前記のように、本発明の陶芸用窯によれば、オペレータが、上扉を上下に揺動させて所定の間隙位置で上扉を係止し、炉内の湿気及びガス抜きや炉内への空気の流入等が可能となり、且つその作業を容易にできる。また、本発明の陶芸用窯によれば、上扉の開閉機構に、開口部の上端と上扉との間に所定の間隙を構成する上扉の支持機構を備えたので、炉内の湿気及びガス抜きや炉内への空気の流入のための、炉壁の貫通孔及びその開閉機構を別途設ける必要が無く、構造を簡素化できる。
【発明を実施するための最良の形態】
【００１０】
次に、本発明の陶芸用窯の一実施例を図面にもとづいて説明する。図１は本発明の一実施例の陶芸用窯の外観を表す外観図、図２は同実施例の陶芸用窯の動作説明図、図３は同実施例の陶芸用窯に備えたステーの外観図である。
【００１１】
図１に表したように、陶芸用窯１は、上方が開口する炉本体２と、炉本体２の上方に配設され、一端が回転軸１１及び連結金具１２を介して炉本体２上部に回動自在に連結し、一端を支点として上下に揺動し開口部３の開放と遮蔽を行う上扉５とを備えている。そして、上扉５は、図１中の実線で表した位置で開口部３を遮蔽し、この位置から上方向（Ｌ方向）に揺動されて、二点鎖線で表した位置（符号Ｍ）で開口部３を開放するように構成されている。
【００１２】
また、陶芸用窯１は、一端６ｂが上扉５の側壁に回転軸９を介して回動自在に連結し他端６ｃが炉本体２の側壁２ｂに向かって延出するステー６と、炉本体２の側壁２ｂに突出する突出ピン９とが備えられている。
【００１３】
図３に表したように、ステー６は、他端６ｃ側に、開口部３の開放位置（図１中において上扉５を二点鎖線で表したＭの位置）において突出ピン７が係合する第一切欠部６ｆを備えると共に、一端６ｂ側には、開口部３の上端と上扉５との間に所定の間隙Ｓを有する間隙位置（図２中において上扉５を実線で表した位置）において突出ピン７が係合する第二切欠部６ｇを備えている。また、ステー６の一端６ｂ側には、上扉５に接続された回転軸９に回動自在に係合する貫通孔６ｈが備えられている。
【００１４】
図１に表したように、開口部３の遮蔽位置（図１中において上扉５を実線で表した位置）から、オペレータが取手１０を把持し上扉５を上方向（Ｌ方向）に揺動させると、ステー６の一端６ｂ側が上扉５と共に移動し、ステー６の縁端６ｊが突出ピン７に当接して縁端６ｊと突出ピン７とがスライドし、第一切欠部６ｆが突出ピン７に係合し、開口部３の開放位置にいたる。そして、その位置でステー６を介して上扉５が炉本体２に支持される。
【００１５】
次に、開口部３の開放位置から、オペレータが取手１０を把持し第一切欠部６ｆと突出ピン７との係合力を越える力で上扉５を下方向（Ｌ方向の反対方向）に揺動させると、ステー６の一端６ｂ側が上扉５と共に移動すると共に、ステー６の縁端６ｊと突出ピン７とがスライドし、上扉５及びステー６が開口部３の遮蔽位置にいたる。
【００１６】
次に、図２に表したように、オペレータが取手１０を把持して開口部３の遮蔽位置（破線で表した位置）から上扉５を上方向に揺動させると共に、矢印Ｒ方向にステー６に回動力を加えると、ステー６の縁端６ｊが突出ピン７に当接してステーの縁端６が突出ピン７とにスライドし、開口部３の間隙位置（実線で表した位置）において第二切欠部６ｇが突出ピン７に係合して、上扉５と開口部３の上端との間に所定の間隙Ｓが構成され、ステー６を介して上扉５が炉本体２に支持される。
【００１７】
以下に、前記の構成を有する実施例の陶芸用窯１の作用効果を記載する。
【００１８】
実施例に記載の陶芸用窯１によれば、一端６ｂが上扉５の側壁に回動自在に連結し他端が炉本体２の側壁２ｂに向かって延出するステー６と、炉本体２の側壁２ｂに突出して設けられ、ステー６の縁端が当接してスライドする突出ピン７と、を備え、ステー６の他端６ｃ側には、開口部３の開放位置において突出ピン７が係合する第一切欠部６ｆを備えると共に、ステー６の一端６ｂ側には、開口部３の上端と上扉５との間に所定の間隙Ｓを有する間隙位置において突出ピン７が係合する第二切欠部６ｇを備え、開放位置及び間隙位置において、ステー６を介して上扉５が炉本体２に支持されるように構成されているので、オペレータが上扉５を上下に揺動させることにより、開口部３を開放する開放位置（図１中において上扉がＭの位置）と、開口部３と上扉５との間に所定の間隙Ｃを構成する間隙位置（図２中において上扉５を実線で表した位置）との夫々で上扉５を係止でき、間隙位置において炉内の湿気の除去及びガス抜きや炉内への空気の流入等が可能となり、その作業を容易にできる。
【００１９】
また、実施例に記載の陶芸用窯１によれば、上扉５の開閉機構に、開口部３の上端と上扉５との間に所定の間隙Ｓを構成する上扉５の支持機構を備えたので、炉内のガス抜きや炉内への空気の流入のために炉壁の貫通孔およびその開閉機構を別途設ける必要が無く、構造を簡素化できる。
【００２０】
以上、本発明の一実施例について説明したが、本発明は、上記実施例に限定されるものではなく、種々の態様をとることができる。例えば、本実施例のステー６において、第一切欠部６ｆ及び第二切欠部６ｇを夫々１ケ所備えたが、第一切欠部６ｆ及び第二切欠部６ｇを複数備え、開口部３の開放位置における上扉５の位置や開口部３の間隙位置における間隙Ｓを調整できるようにしてもよい。また、突出ピン７を炉本体２に回動自在に設けたり、回転軸９を上扉５に回動自在に設けたりしてもよい。
【図面の簡単な説明】
【００２１】
【図１】本発明の一実施例の陶芸用窯の外観を表す外観図である。
【図２】同実施例の陶芸用窯の動作説明図である。
【図３】同実施例の陶芸用窯に備えたステーの外観図である。
【符号の説明】
【００２２】
１…陶芸用窯、２…炉本体、２ｂ…側壁、３…開口部、５…上扉、６…ステー、６ｂ…一端、６ｃ…他端、６ｆ…第一切欠部、６ｇ…第二切欠部、６ｈ…貫通孔、６ｊ…縁端、７…突出ピン、９…回転軸、１０…取手、１１…回転軸、１２…連結金具、Ｓ…間隙。
【図１】
2006145051.tif 000003
【図２】
2006145051.tif 000004
【図３】
2006145051.tif 000005